(57)【要約】【課題】携帯端末ネットワークにおいて一時的に固定基地局のリソースが不足しても、その問題を解決できる、携帯端末を利用した携帯端末ネットワークシステム、それを用いた通信方法及びそのプログラムを提供する。【解決手段】固定基地局80は、簡易基地局機能を持ち、且つその機能を許可している携帯端末70(該当携帯端末は複数)を探し出す。携帯端末70は簡易基地局機能を使用する命令、その他の情報を固定基地局80から受け取ると、携帯端末70が通信手段2を使って通信できる携帯端末を探す。その中で、通信困難な携帯端末71を発見した場合、自分が持っている簡易基地局機能を使用してその携帯端末71と自分(携帯端末70)、固定基地局81を利用してひとつの新しい通信ネットワークシステムを構築する。【選択図】図２
2005094457.tif 000002
【特許請求の範囲】
【請求項１】
簡易基地局機能を備える携帯端末を利用した携帯端末ネットワークシステムであって、
前記簡易基地局機能を備える携帯端末は、固定基地局と通信する第１の通信手段と、他の携帯端末と通信する通信可能距離が数10ｍ程度の前記簡易基地局機能を有する第２の通信手段とを備え、
第1の固定基地局においてリソースが少なくなると、前記第1の固定基地局は、前記簡易基地局機能を持ち、且つ該簡易基地局機能を許可している第1の携帯端末を探し出し、同時に、該第1の携帯端末へ向けて、前記簡易基地局機能を使用する命令と、リソースに余分のある第２の固定基地局情報と、更に前記第1の固定基地局内で通信を確立することが前記第1の固定基地局のリソース不足により通信困難である状態の第２の携帯端末情報とを流す手段を備え、
前記第1の携帯端末は、前記簡易基地局機能を使用する命令と、リソースに余分のある第２の固定基地局情報と、更に前記第1の固定基地局内で通信を確立することが前記第1の固定基地局のリソース不足により通信困難である状態の第２の携帯端末情報とを前記第1の固定基地局から受け取ると、前記第２の通信手段を使って通信できる携帯端末を探し、前記第1の固定基地局のリソース不足により通信困難である状態の第２の携帯端末を発見した場合、前記簡易基地局機能を使用して前記第1の携帯端末と前記第２の携帯端末と前記第２の固定基地局とを利用してひとつの新しい通信ネットワークシステムを構築する手段を備える、携帯端末ネットワークシステム。
【請求項２】
簡易基地局機能を備える携帯端末を利用した携帯端末ネットワークシステムであって、
前記簡易基地局機能を備える携帯端末は、固定基地局と通信する第１の通信手段と、他の携帯端末と通信する通信可能距離が数10ｍ程度の前記簡易基地局機能を有する第２の通信手段とを備え、
第1の携帯端末が第1の固定基地局と通信を開始し、その相手先である第２の携帯端末が、該第２の携帯端末がいる場所で使用できる第２の固定基地局とネットワークを確立して、通信を開始し、
前記第1の固定基地局と前記第２の固定基地局が近い場合、前記第1の固定基地局においてリソースが少なくなると、前記第1の固定基地局は、該第1の固定基地局のエリア内且つ前記第２の固定基地局がもつエリア方向に前記簡易基地局機能を持つ携帯端末を探す手段を備え、
前記第1の固定基地局と前記第２の固定基地局が同一の場合、前記第1の固定基地局においてリソースが少なくなると、前記第1の固定基地局は、同一エリア内にいる携帯端末で、前記簡易基地局機能を持つ携帯端末を探す手段を備え、
前記第1の固定基地局は、前記簡易基地局機能を持つ第３の携帯端末を探すと同時に、前記簡易基地局機能を持つ第３の携帯端末へ向けて、それぞれの通信エリアの範囲内に前記第１の携帯端末や前記第２の携帯端末がいるかどうか探させる命令を出す手段を備え、
前記第３の携帯端末は、前記簡易基地局機能を持つ第３の携帯端末の通信エリアの範囲内に前記第１の携帯端末と前記第２の携帯端末とがいれば、前記第２の固定基地局を介さずに、前記簡易基地局機能を使用して前記第1の携帯端末と前記第２の携帯端末と前記第３の携帯端末とを利用してひとつの新しい通信ネットワークシステムを構築する手段を備え、
前記第３の携帯端末は、前記簡易基地局機能を持つ第３の携帯端末の通信エリアの範囲内に前記第１の携帯端末と前記第２の携帯端末とのいずれか一方だけ存在すれば、前記簡易基地局機能を持つ第４の携帯端末を探し、前記第４の携帯端末を探す際には、前記第３の携帯端末が通信可能な携帯端末以外の携帯端末と通信できる前記第４の携帯端末を探し、そのために、前記第３の携帯端末が通信エリアの範囲内で前記第1の携帯端末と前記第２の携帯端末のどちらと通信可能であるかの情報も同時に流し、前記第４の携帯端末がいれば、前記第２の固定基地局を介さずに、前記簡易基地局機能を使用して前記第1の携帯端末と前記第２の携帯端末と前記第３の携帯端末と前記第４の携帯端末とを利用してひとつの新しい通信ネットワークシステムを構築する手段を備える、携帯端末ネットワークシステム。
【請求項３】
簡易基地局機能を備える携帯端末を利用した携帯端末ネットワークシステムを用いた通信方法であって、
前記簡易基地局機能を備える携帯端末は、固定基地局と通信する第１の通信手段と、他の携帯端末と通信する通信可能距離が数10ｍ程度の前記簡易基地局機能を有する第２の通信手段とを備え、
第1の固定基地局においてリソースが少なくなると、前記第1の固定基地局は、前記簡易基地局機能を持ち、且つ該簡易基地局機能を許可している第1の携帯端末を探し出し、同時に、該第1の携帯端末へ向けて、前記簡易基地局機能を使用する命令と、リソースに余分のある第２の固定基地局情報と、更に前記第1の固定基地局内で通信を確立することが前記第1の固定基地局のリソース不足により通信困難である状態の第２の携帯端末情報とを流し、
前記第1の携帯端末は、前記簡易基地局機能を使用する命令と、リソースに余分のある第２の固定基地局情報と、更に前記第1の固定基地局内で通信を確立することが前記第1の固定基地局のリソース不足により通信困難である状態の第２の携帯端末情報とを前記第1の固定基地局から受け取ると、前記第２の通信手段を使って通信できる携帯端末を探し、前記第1の固定基地局のリソース不足により通信困難である状態の第２の携帯端末を発見した場合、前記簡易基地局機能を使用して前記第1の携帯端末と前記第２の携帯端末と前記第２の固定基地局とを利用してひとつの新しい通信ネットワークシステムを構築する、携帯端末ネットワークシステムを用いた通信方法。
【請求項４】
簡易基地局機能を備える携帯端末を利用した携帯端末ネットワークシステムを用いた通信方法であって、
前記簡易基地局機能を備える携帯端末は、固定基地局と通信する第１の通信手段と、他の携帯端末と通信する通信可能距離が数10ｍ程度の前記簡易基地局機能を有する第２の通信手段とを備え、
第1の携帯端末が第1の固定基地局と通信を開始し、その相手先である第２の携帯端末が、該第２の携帯端末がいる場所で使用できる第２の固定基地局とネットワークを確立して、通信を開始し、
前記第1の固定基地局と前記第２の固定基地局が近い場合、前記第1の固定基地局においてリソースが少なくなると、前記第1の固定基地局は該第1の固定基地局のエリア内且つ前記第２の固定基地局がもつエリア方向に前記簡易基地局機能を持つ携帯端末を探し、
前記第1の固定基地局と前記第２の固定基地局が同一の場合、同一エリア内にいる携帯端末で、前記簡易基地局機能を持つ携帯端末を探し、
前記第1の固定基地局は、前記簡易基地局機能を持つ第３の携帯端末を探すと同時に、前記簡易基地局機能を持つ第３の携帯端末へ向けて、それぞれの通信エリアの範囲内に前記第１の携帯端末や前記第２の携帯端末がいるかどうか探させる命令を出し、
前記簡易基地局機能を持つ第３の携帯端末の通信エリアの範囲内に前記第１の携帯端末と前記第２の携帯端末とがいれば、前記第２の固定基地局を介さずに、前記簡易基地局機能を使用して前記第1の携帯端末と前記第２の携帯端末と前記第３の携帯端末とを利用してひとつの新しい通信ネットワークシステムを構築し、
前記簡易基地局機能を持つ第３の携帯端末の通信エリアの範囲内に前記第１の携帯端末と前記第２の携帯端末とのいずれか一方だけ存在すれば、前記簡易基地局機能を持つ第４の携帯端末を探し、前記第４の携帯端末を探す際には、前記第３の携帯端末が通信可能な携帯端末以外の携帯端末と通信できる前記第４の携帯端末を探し、そのために、前記第３の携帯端末が通信エリアの範囲内で前記第1の携帯端末と前記第２の携帯端末のどちらと通信可能であるかの情報も同時に流し、前記第４の携帯端末がいれば、前記第２の固定基地局を介さずに、前記簡易基地局機能を使用して前記第1の携帯端末と前記第２の携帯端末と前記第３の携帯端末と前記第４の携帯端末とを利用してひとつの新しい通信ネットワークシステムを構築する、携帯端末ネットワークシステムを用いた通信方法。
【請求項５】
コンピュータ又はマイクロプロセッサに、請求項３に記載の簡易基地局機能を備える携帯端末を利用した携帯端末ネットワークシステムを用いた通信方法を実行させるためのプログラム。
【請求項６】
コンピュータ又はマイクロプロセッサに、請求項４に記載の簡易基地局機能を備える携帯端末を利用した携帯端末ネットワークシステムを用いた通信方法を実行させるためのプログラム。
【発明の詳細な説明】
【技術分野】
【０００１】
本発明は、携帯端末を利用した携帯端末ネットワークシステム、それを用いた通信方法及びコンピュータ又はマイクロプロセッサにその通信方法を実行させるためのプログラムに関する。
【背景技術】
【０００２】
従来の携帯端末ネットワークとしては、基地局がない場合に移動局が基地局の役割を果たせるようにすることにより、永久基地局がない場合でもネットワークを確立するための通信方法及び装置がある（特許文献１参照。）。
【０００３】
また、移動局は、規制簡易無線基地局からの発信規制用の第２の電波を受信したとき、無線基地局との間で無線通信する第１の電波の送信を停止する携帯電話発信規制方法がある（特許文献２参照。）。
【０００４】
また、１の移動局において、基地局の無線通信可能なセルの外（圏外）にあることを検出すると、近くに他の移動局があるか否かを検知し、検知すると近くにある他の移動局に対して情報を送信し、他の移動局は１の移動局から受信した情報を基地局に送信する圏外無線通信システムがある（特許文献３参照。）。
【特許文献１】特開２０００−８２９８９号公報
【特許文献２】特開２００１−２６８６３６号公報
【特許文献３】特開２００３−６１１３６号公報
【発明の開示】
【発明が解決しようとする課題】
【０００５】
近年ではW-CDMA方式が携帯電話システムに採用されるなど基地局リソースに対してその問題点の解決方法は数多く考えられてきた。しかし現在の方法でもリソースは無限というわけにもいかず、また、一時的に基地局のリソースが少なくなるのはある特殊な場合が多い。
【０００６】
その特殊な状況の為に全てのネットワークシステムを変えるというのは現実的ではない。ここで言う特殊な状態とは、例としてコンサート会場近く(時間的にはコンサート終了時刻)や、待ち合わせ等でよく使われる場所である。その特殊な状況を逆に利用したのが本発明である。
【０００７】
その根拠は二つある。一つは人が多く集まっているということ、もうひとつは密接しているということである。前者における本発明の利点は、多くの人が本発明を利用している可能性が大きいということ。後者における利点とは、通信手段の通信範囲が狭いとしても、人が密接している為にその通信範囲が小さくてもネットワークシステムを確立できる可能性が大きいということである。
【０００８】
本発明の目的は、携帯端末ネットワークにおいて一時的に固定基地局のリソースが不足しても、その問題を解決できる、携帯端末を利用した携帯端末ネットワークシステム、それを用いた通信方法及びそのプログラムを提供することにある。
【課題を解決するための手段】
【０００９】
本発明の携帯端末ネットワークシステムは、
簡易基地局機能を備える携帯端末を利用した携帯端末ネットワークシステムであって、簡易基地局機能を備える携帯端末は、固定基地局と通信する第１の通信手段と、他の携帯端末と通信する通信可能距離が数10ｍ程度の前記簡易基地局機能を有する第２の通信手段とを備え、第1の固定基地局においてリソースが少なくなると、第1の固定基地局は、簡易基地局機能を持ち、且つ簡易基地局機能を許可している第1の携帯端末を探し出し、同時に、第1の携帯端末へ向けて、簡易基地局機能を使用する命令と、リソースに余分のある第２の固定基地局情報と、更に第1の固定基地局内で通信を確立することが第1の固定基地局のリソース不足により通信困難である状態の第２の携帯端末情報とを流す手段を備え、第1の携帯端末は、簡易基地局機能を使用する命令と、リソースに余分のある第２の固定基地局情報と、更に第1の固定基地局内で通信を確立することが第1の固定基地局のリソース不足により通信困難である状態の第２の携帯端末情報とを前記第1の固定基地局から受け取ると、前記第２の通信手段を使って通信できる携帯端末を探し、第1の固定基地局のリソース不足により通信困難である状態の第２の携帯端末を発見した場合、簡易基地局機能を使用して第1の携帯端末と第２の携帯端末と第２の固定基地局とを利用してひとつの新しい通信ネットワークシステムを構築する手段を備える。
【００１０】
本発明の携帯端末ネットワークシステムは、
簡易基地局機能を備える携帯端末を利用した携帯端末ネットワークシステムであって、簡易基地局機能を備える携帯端末は、固定基地局と通信する第１の通信手段と、他の携帯端末と通信する通信可能距離が数10ｍ程度の前記簡易基地局機能を有する第２の通信手段とを備え、第1の携帯端末が第1の固定基地局と通信を開始し、その相手先である第２の携帯端末が、第２の携帯端末がいる場所で使用できる第２の固定基地局とネットワークを確立して、通信を開始し、第1の固定基地局と第２の固定基地局が近い場合、第1の固定基地局においてリソースが少なくなると、第1の固定基地局は、第1の固定基地局のエリア内且つ第２の固定基地局がもつエリア方向に簡易基地局機能を持つ携帯端末を探す手段を備え、第1の固定基地局と第２の固定基地局が同一の場合、第1の固定基地局においてリソースが少なくなると、前記第1の固定基地局は、同一エリア内にいる携帯端末で、簡易基地局機能を持つ携帯端末を探す手段を備え、第1の固定基地局は、簡易基地局機能を持つ第３の携帯端末を探すと同時に、簡易基地局機能を持つ第３の携帯端末へ向けて、それぞれの通信エリアの範囲内に第１の携帯端末や第２の携帯端末がいるかどうか探させる命令を出す手段を備え、第３の携帯端末は、簡易基地局機能を持つ第３の携帯端末の通信エリアの範囲内に第１の携帯端末と第２の携帯端末とがいれば、第２の固定基地局を介さずに、簡易基地局機能を使用して第1の携帯端末と第２の携帯端末と第３の携帯端末とを利用してひとつの新しい通信ネットワークシステムを構築する手段を備え、第３の携帯端末は、簡易基地局機能を持つ第３の携帯端末の通信エリアの範囲内に第１の携帯端末と第２の携帯端末とのいずれか一方だけ存在すれば、簡易基地局機能を持つ第４の携帯端末を探し、第４の携帯端末を探す際には、第３の携帯端末が通信可能な携帯端末以外の携帯端末と通信できる第４の携帯端末を探し、そのために、第３の携帯端末が通信エリアの範囲内で第1の携帯端末と第２の携帯端末のどちらと通信可能であるかの情報も同時に流し、第４の携帯端末がいれば、第２の固定基地局を介さずに、簡易基地局機能を使用して第1の携帯端末と第２の携帯端末と第３の携帯端末と第４の携帯端末とを利用してひとつの新しい通信ネットワークシステムを構築する手段を備える。
【００１１】
本発明の携帯端末ネットワークシステムを用いた通信方法は、
簡易基地局機能を備える携帯端末を利用した携帯端末ネットワークシステムを用いた通信方法であって、簡易基地局機能を備える携帯端末は、固定基地局と通信する第１の通信手段と、他の携帯端末と通信する通信可能距離が数10ｍ程度の簡易基地局機能を有する第２の通信手段とを備え、第1の固定基地局においてリソースが少なくなると、第1の固定基地局は、簡易基地局機能を持ち、且つ簡易基地局機能を許可している第1の携帯端末を探し出し、同時に、第1の携帯端末へ向けて、簡易基地局機能を使用する命令と、リソースに余分のある第２の固定基地局情報と、更に第1の固定基地局内で通信を確立することが第1の固定基地局のリソース不足により通信困難である状態の第２の携帯端末情報とを流し、第1の携帯端末は、簡易基地局機能を使用する命令と、リソースに余分のある第２の固定基地局情報と、更に第1の固定基地局内で通信を確立することが第1の固定基地局のリソース不足により通信困難である状態の第２の携帯端末情報とを第1の固定基地局から受け取ると、第２の通信手段を使って通信できる携帯端末を探し、第1の固定基地局のリソース不足により通信困難である状態の第２の携帯端末を発見した場合、簡易基地局機能を使用して第1の携帯端末と第２の携帯端末と第２の固定基地局とを利用してひとつの新しい通信ネットワークシステムを構築する。
【００１２】
本発明の携帯端末ネットワークシステムを用いた通信方法は、
簡易基地局機能を備える携帯端末を利用した携帯端末ネットワークシステムを用いた通信方法であって、簡易基地局機能を備える携帯端末は、固定基地局と通信する第１の通信手段と、他の携帯端末と通信する通信可能距離が数10ｍ程度の簡易基地局機能を有する第２の通信手段とを備え、第1の携帯端末が第1の固定基地局と通信を開始し、その相手先である第２の携帯端末が、第２の携帯端末がいる場所で使用できる第２の固定基地局とネットワークを確立して、通信を開始し、第1の固定基地局と第２の固定基地局が近い場合、第1の固定基地局においてリソースが少なくなると、第1の固定基地局は第1の固定基地局のエリア内且つ第２の固定基地局がもつエリア方向に簡易基地局機能を持つ携帯端末を探し、第1の固定基地局と第２の固定基地局が同一の場合、同一エリア内にいる携帯端末で、簡易基地局機能を持つ携帯端末を探し、第1の固定基地局は、簡易基地局機能を持つ第３の携帯端末を探すと同時に、簡易基地局機能を持つ第３の携帯端末へ向けて、それぞれの通信エリアの範囲内に第１の携帯端末や第２の携帯端末がいるかどうか探させる命令を出し、簡易基地局機能を持つ第３の携帯端末の通信エリアの範囲内に第１の携帯端末と第２の携帯端末とがいれば、第２の固定基地局を介さずに、簡易基地局機能を使用して第1の携帯端末と第２の携帯端末と第３の携帯端末とを利用してひとつの新しい通信ネットワークシステムを構築し、簡易基地局機能を持つ第３の携帯端末の通信エリアの範囲内に第１の携帯端末と第２の携帯端末とのいずれか一方だけ存在すれば、簡易基地局機能を持つ第４の携帯端末を探し、第４の携帯端末を探す際には、第３の携帯端末が通信可能な携帯端末以外の携帯端末と通信できる第４の携帯端末を探し、そのために、第３の携帯端末が通信エリアの範囲内で第1の携帯端末と第２の携帯端末のどちらと通信可能であるかの情報も同時に流し、第４の携帯端末がいれば、第２の固定基地局を介さずに、簡易基地局機能を使用して第1の携帯端末と第２の携帯端末と第３の携帯端末と第４の携帯端末とを利用してひとつの新しい通信ネットワークシステムを構築する。
【００１３】
本発明のプログラムは、
コンピュータ又はマイクロプロセッサに、上述の簡易基地局機能を備える携帯端末を利用した携帯端末ネットワークシステムを用いた通信方法を実行させる。
【発明の効果】
【００１４】
本発明には、以下の効果がある。
【００１５】
本発明の簡易基地局機能を備える携帯端末を利用した携帯端末ネットワークシステムは、その簡易基地局機能によるネットワークを結べば一本(あるいは複数本)のネットワークを構築でき、通信を行う端末同士がそのネットワークに入ることが可能であれば、固定基地局を介さずに通信を行うことが可能になるという効果がある。
【００１６】
従って、携帯電話の固定基地局によるネットワークのトラフィック増加を抑えるとともに、ネットワークリソースの無駄な占有を防ぐことができるように現在のシステムとは異なった通信を制御することが可能となる。
【発明を実施するための最良の形態】
【００１７】
本発明の特徴は、携帯端末ネットワークにおいて一時的に固定基地局のリソースが不足しても、その問題を解決できる点である。
【００１８】
その為の最大の特徴は携帯端末を簡易基地局として用いていることである。その為に必要となる携帯端末は、ネットワークに接続された固定基地局を介して他の携帯電話機、固定電話機、及び固定端末装置との通信を可能にする第１の通信手段、並びに相互の標準通信可能距離が数10ｍ程度の「簡易基地局機能」(第２の通信手段)を備えた携帯電話である。
【００１９】
簡易基地局機能とは従来の固定基地局とは異なり、ネットワークをひとつ(あるいはいくつか)だけ組むことができる機能である。ここで言うひとつのネットワークとは、基地局機能として他の携帯電話、その他移動式情報端末のひとつ(あるいはいくつか)の通信を確立させたネットワークである。固定基地局の移動版、簡易版とすることができるものとする。
【００２０】
その機能を持つ携帯端末を所有する者は、その機能のありなしを自由に選べるものとし、ネットワーク構築の恩恵として適切な報酬を受け取ることができるようにする。
【００２１】
図１に簡易基地局機能を有する携帯端末（移動局）１の構成を示す。第１の通信手段は、アンテナ切り替えスイッチ2と移動局制御部3と移動局無線部4と通信制御部5とから構成され、第１の通信手段は、アンテナ切り替えスイッチ2と通信制御部5と簡易基地局無線部6と基地局情報保存部7と基地局制御部8とから構成される。
【００２２】
（発明の第１の実施の形態）
図２を参照すると、本発明の第１の実施の形態としての携帯端末ネットワークシステムの構成が示されている。円で示したところが固定基地局と携帯端末が通信可能になる範囲である。一時的にリソースが少なくなる場合は人が密集していることを逆に利用し、簡易基地局機能を持つ携帯端末を利用してリソースに余分のある他の固定基地局へ接続することが可能となる。
【００２３】
ネットワークの実際の組み方の手順を説明する。まず図２の固定基地局80において、リソースが少なくなるとリソースに余分のある固定基地局81を活用できるネットワークを構築する準備に入る。
【００２４】
まず固定基地局80は、簡易基地局機能を持ち、且つその機能を許可している携帯端末70(該当携帯端末は複数)を探し出す。と同時に、固定基地局は各該当携帯端末へ向けて簡易基地局機能を使用する命令と、リソースに余分のある固定基地局情報(図の場合は固定基地局81)、更に固定基地局80内で通信を確立することが固定基地局のリソース不足により困難である状態の携帯端末情報(図では例として携帯端末71が該当携帯端末だとする)を流す。携帯端末70は簡易基地局機能を使用する命令、その他の情報を固定基地局80から受け取ると、携帯端末70が第２の通信手段を使って通信できる携帯端末を探す。その中で、前述の通信困難な携帯端末71を発見した場合、自分が持っている簡易基地局機能を使用してその携帯端末71と自分(携帯端末70)、固定基地局81を利用してひとつの新しい通信ネットワークシステムを構築する。
【００２５】
この実施の形態の前提として固定基地局同士はお互いに、お互いのリソース状況が把握できているものとする。
【００２６】
また、上述の簡易基地局機能を備える携帯端末を利用した携帯端末ネットワークシステムを用いた通信方法のプログラムにより、コンピュータ又はマイクロプロセッサにその通信方法を実行させることができる。
【００２７】
（発明の第２の実施の形態）
第１の実施の形態ではあくまでも既存の固定基地局を活用することを前提にしていたが、図３に示すように携帯端末が簡易基地局機能を持つことから既存の固定基地局を極力使用しないネットワークシステムを構築することも可能である。そのネットワーク構築システムについて説明する。なお、この説明をフローチャート化したものを図４に示す。
【００２８】
まず、図３において携帯端末75とあるのが、これからまさに発呼しようとしている携帯端末である。その相手は携帯端末76であり、比較的に近い距離にいる場合について説明する。
【００２９】
携帯端末75が固定基地局85と通信を開始し、その相手先である携帯端末76が、自分がいる場所で使用できる固定基地局86とネットワークを確立して、通信を開始する（Ｓ１〜Ｓ３）。固定基地局85において、リソースが少なくなると簡易基地局機能を持つ携帯端末を活用できるネットワークを構築する準備に入る。
【００３０】
ここで固定基地局85と固定基地局86が近い場合、あるいは固定基地局85と固定基地局86が同一の場合がある。固定基地局85と固定基地局86が近い場合(固定基地局85と固定基地局86が同一ではない場合)、固定基地局は自分のエリア内且つ固定基地局86がもつエリア方向に簡易基地局機能を持つ携帯端末を探す（Ｓ４、Ｓ５）。固定基地局85と固定基地局86が同一の場合は同一エリア内にいる携帯端末で、簡易基地局機能を持つ携帯端末を探す（Ｓ４、Ｓ５）。
【００３１】
固定基地局同士が近いかどうかは、もともと固定基地局が持っている情報とする。
【００３２】
固定基地局85は上記の携帯端末を探すと同時に、該当携帯端末へそれぞれの通信エリアの範囲内に携帯端末75や携帯端末76がいるかどうか探させる命令を出す（Ｓ６）。ここでもし該当携帯端末(図では携帯端末77)の通信エリアの範囲内に携帯端末75と携帯端末76がいれば、固定基地局を介さずに通信ネットワークを確立できる（Ｓ７〜Ｓ９）。また、携帯端末77の通信エリアの範囲内に携帯端末75と携帯端末76のいずれかだけ存在すれば、他の該当携帯端末を探す（Ｓ１０）。該当携帯端末を探す際には、自分が通信可能な携帯端末以外の携帯端末と通信できる該当携帯端末を探す。その為に、自分が通信エリアの範囲内でどの携帯端末と通信可能であるか(ここでは携帯端末75と携帯端末76のどちらと通信可能であるか)の情報も同時に流す。その情報を該当携帯端末同士で結び、最終的に携帯端末75と通信可能な携帯端末と、携帯端末76と通信可能な携帯端末が一並びになる事を目的とする。他の該当携帯端末がいれば、固定基地局を介さずに、簡易基地局機能を使用して、携帯端末75と通信可能な携帯端末と、携帯端末76と通信可能な携帯端末とを利用して通信ネットワークを確立できる（Ｓ１０〜Ｓ１２）。また、他の該当携帯端末が見つからなければ、固定基地局85は、再度、自分のエリア内且つ固定基地局86がもつエリア方向に簡易基地局機能を持つ携帯端末を探す（Ｓ１３、Ｓ１４）。
【００３３】
また、通信中に携帯端末77が携帯端末75と通信できなくなる範囲に移動した場合、携帯端末75は固定基地局と通信を再開すると同時に、他のルートを探すものとする。
【００３４】
また、上述の簡易基地局機能を備える携帯端末を利用した携帯端末ネットワークシステムを用いた通信方法のプログラムにより、コンピュータ又はマイクロプロセッサにその通信方法を実行させることができる。
【図面の簡単な説明】
【００３５】
【図１】簡易基地局機能を有する携帯端末（移動局）の構成を示す図である。
【図２】リソース不足時の解決となる本発明の第１の実施の形態としての携帯端末ネットワークシステムの構成を示す図である。
【図３】固定基地局を使用しないネットワークの構築である本発明の第２の実施の形態としての携帯端末ネットワークシステムの構成を示す図である。
【図４】本発明の第２の実施の形態としての携帯端末ネットワークシステムのフローチャートを示す図である。
【符号の説明】
【００３６】
１、７０、７１、７２、７５、７６、７７    携帯端末
２    アンテナ切り替えスイッチ
３    移動局制御部
４    移動局無線部
５    通信制御部
６    簡易基地局無線部
７    基地局情報保存部
８    基地局制御部
１０    固定基地局８０通信エリア
１１    固定基地局８１通信エリア
１５    固定基地局８５通信エリア
１６    固定基地局８６通信エリア
８０、８１、８５、８６    固定基地局
【図１】
2005094457.tif 000003
【図２】
2005094457.tif 000004
【図３】
2005094457.tif 000005
【図４】
2005094457.tif 000006